(57)【要約】【課題】棚装置１に複数の電気製品を収納しながら充電するための収納効率を高めると同時に外観をすっきりさせる。【解決手段】所定間隔を隔てて対向配置した一対の側板間に着脱自在、且つ高さ位置調節自在に配置した複数の主棚板１０の上の奥側に段差をつけた補助棚板１２を配置し、これら主棚板１０及び補助棚板１２上に電器製品２１を載置する。補助棚板１２の前端から下向きに垂下する前板１３の下端と主棚板１０の上面との間に配線用の隙間１４を設け、且つ主棚板１０上面と補助棚板１２の下面との間をコンセント２３、ＡＣアダプタ２２等の電気部品の収納空間に形成した。【選択図】　図３
2004135904.tif 000002
【特許請求の範囲】
【請求項１】
所定間隔を隔てて対向配置した一対の側板と、該一対の側板間に着脱自在、且つ高さ位置調節自在に配置した複数の主棚板と、該主棚板上の奥側に段差をつけた補助棚板とを有し、該補助棚板の前端から下向きに垂下する前板と前記主棚板の上面との間に配線隙間を設けたことを特徴とする棚装置。
【請求項２】
前記主棚板上面と補助棚板の下面との間をコンセント等の電気部品の収納空間に形成したことを特徴とする請求項１に記載の棚装置。
【請求項３】
前記一対の側板間に配置する背板と前記主棚板の後端との間に隙間を設け、該隙間には、上下方向に開口する通線カバー体を設けたことを特徴とする請求項２に記載の棚装置。
【請求項４】
前記一対の側板間の下部に配置した底カバー板の下方にコード受け樋を設けたことを特徴とする請求項１乃至３のいずれかに記載の棚装置。
【発明の詳細な説明】
【０００１】
【発明の属する技術分野】
本発明は、多段式の棚装置に係り、より詳しくは、多数の電気製品を収納しながら充電できる配線を可能とする棚装置の構造に関するものである。
【０００２】
【従来の技術】
従来、棚装置における棚板を、前半棚部に対して後半棚部を上側にする段違い状に形成したもの（特許文献１）や、上下に適宜間隔で配置された主棚板の各後半部（奥側）の上方に補助棚板を着脱可能に配置した棚装置（特許文献２）が公知である。
【０００３】
【特許文献１】
実開平５−６８３３６号公報（図１参照）
【特許文献２】
実開平５−９３３６号公報（図１参照）
【０００４】
【発明が解決しようとする課題】
しかしながら、特許文献１の棚装置では、下側に配置した平板状の棚板の奥側の上方と、上側の段違い状の棚板における後半棚部の下方との上下空間を大きくできることにより、その部分に背の高い品物を配置でき、棚装置の収納スペースを有効に利用するものであるが、前記段違いの棚を上下に複数段に配置したときには、収納スペースの有効利用に寄与できないという問題があった。
【０００５】
他方、特許文献２における構成では、棚装置の奥側に配置した補助棚板には背の低い品物を載置し、主棚板の前半部には背の高い品物を載置し、さらに、主棚板の後半部と補助棚板の下面との間には、一層背の低い品物を収納できるから、その点で収納スペースを有効利用できる。しかし、このような棚装置に多数の電気製品を載置し、そのうちの一部の電気製品に充電する場合、配線コードやコンセントが棚装置の前側から見えることになり、外観が悪くなるという問題があった。
【０００６】
本発明は、棚装置の収納スペースを有効利用しながら、複数の電気製品に充電する場合の配線コードやコンセント等を棚装置の前から見えない位置に収納でき、外観のすっきりした棚装置を提供することを目的とするものである。
【０００７】
【課題を解決するための手段】
前記目的を達成するため、請求項１に記載の発明の棚装置は、所定間隔を隔てて対向配置した一対の側板と、該一対の側板間に着脱自在、且つ高さ位置調節自在に配置した複数の主棚板と、該主棚板上の奥側に段差をつけた補助棚板とを有し、該補助棚板の前端から下向きに垂下する前板と前記主棚板の上面との間に配線隙間を設けたものである。
【０００８】
請求項２に記載の発明は、請求項１に記載の棚装置において、前記主棚板上面と補助棚板の下面との間をコンセント等の電気部品の収納空間に形成したものである。
【０００９】
請求項３に記載の発明は、請求項２に記載の棚装置において、前記一対の側板間に配置する背板と前記主棚板の後端との間に隙間を設け、該隙間には、上下方向に開口する通線カバー体を設けたものである。
【００１０】
請求項４に記載の発明は、請求項１乃至３のいずれかに記載の棚装置において、前記一対の側板間の下部に配置した底カバー板の下方にコード受け樋を設けたものである。
【００１１】
【発明の効果】
上記の請求項１に記載の発明によれば、主棚板上の奥側に段差をつけた補助棚板とを有するから、載置する電気製品の背の高さに応じて、補助棚板及び主棚板上の前側に載置できて収納効率を高めることができる。そして、補助棚板の前端から下向きに垂下する前板と前記主棚板の上面との間に配線隙間を設けたものであるから、長い配線コードの大部分を前記隙間を介して補助棚板の下方に配置てきるから棚装置の外観をすっきりさせることができるという効果を奏する。
【００１２】
また、請求項２に記載の発明によれば、請求項１に記載の発明による効果に加えて、主棚板上面と補助棚板の下面との間をコンセント等の電気部品の収納空間に形成したものであるから、常時備えつけの電気部品を、一時的に保管する電気製品と別の区切られた収納空間に収納できる結果、一時的に保管する電気製品の整理整頓を実行し易くなるという効果を奏する。また、常時備えつけの電気部品を外側から見えない個所（収納空間）に配置できるから、棚装置の外観をすっきりさせることができるという効果を奏する。
【００１３】
さらに、請求項３に記載の発明によれば、請求項２に記載の発明による効果に加えて、補助棚板の下方に配置した電気部品の配線コードを下方に挿通する個所を通線カバー体にて覆うことができ、この配線コードの乱雑さも見えなくして外観をすっきりさせることができる。
【００１４】
請求項４に記載の発明によれば、棚装置の下部に設けたコード受け樋にて集まった配線コードの余長部や差込みコンセント等の電気部品を更に収納でき、配線作業、配線形態をすっきりさせることができる。また、配線コードの余長部が棚装置の下部前側にはみ出さず、足元の安全を確保できるという効果も奏する。
【００１５】
【発明の実施の形態】
次に、本発明を具体化した実施形態について説明すると、図１は本発明の棚装置の正面図、図２は棚装置の横断面図、図３は要部を示す一部切欠き斜視図、図４は棚装置の下部の横断面図である。
【００１６】
棚装置１は、適宜距離隔てて対向配置される左右一対の側板２、２と、天板３と底板４と、一対の側板２、２の背面を覆う背板５を有しこれらの部材にて枠状に形成されている。この棚装置１は断面横向きコ字状の枠型のベース１８に載置され、ベース１８の上面と前記底板４とを図示しないビスにて連結固定する。一対の側板２、２の相対向する内面には、その前後部位に、横断面が略コ字状で縦長の補強部材６、７が点溶接等により固定されている。各補強部材６、７には縦方向に適宜間隔にて係止孔８、９が穿設されている。
【００１７】
複数の主棚板１０は、それぞれ、前記任意高さ位置の係止孔８、９に着脱自在に係止する下向きの係合爪（図示せず）を有し、平面視略矩形状である。各主棚板１０の平板状の載置板部１０ａの前後端部１０ｂ，１０ｃは下向きに折り曲げた断面略コ字状に形成されている（図３参照）。また、主棚板１０の載置板部１０ａの下面には、横長の補強片１１が点溶接にて固定されている。
【００１８】
そして、前記主棚板１０の載置板部１０ａの上面のうち奥側（後半部寄り）には、背の低い補助棚板１２が配置されている。この補助棚板１２は、前記主棚板１０の載置板部１０ａの奥行き寸法Ｄ１の略半分程度の奥行き寸法Ｄ２を有する横長の平坦な載置部１２ａと、該載置部１２ａの両端を下向きに屈曲させた左右両側の足板１２ｂ，１２ｂと、載置部１２ａの前端から下向きに垂下する前板１３とからなる。前記両足板１２ｂ，１２ｂの下端（水平部）は前記主棚板１０の載置板部１０ａにネジ止め（図示せず）にて連結しても良い。
【００１９】
載置部１２ａの間口方向の寸法は載置板部１０ａの間口方向の寸法と略同じに設定しても良いし、載置板部１０ａの間口方向の寸法より短い載置部１２ａを有する複数の補助棚板１２を横一列状に配置しても良い。足板１２ｂ，１２ｂの高さ寸法Ｈ１に対して、前板１３の高さ寸法を小さく設定し、且つ前板１３の下端と主棚板１０の載置板部１０ａの上面との間に、高さ寸法Ｈ２の横長の配線コード挿通用の隙間１４を形成する。
【００２０】
従って、主棚板１０の載置板部１０ａの上面の奥側（後半寄り部位）と補助棚板１２における載置部１２ａとの間には、前記隙間１４に連通する物品収納空間１５が形成されることになる。
【００２１】
また、上下方向に適宜間隔にて配置された主棚板１０の後端部と背板５との間には、断面略コ字状の通線カバー体１６を配置し、通線カバー体１６の左右両側の当接片１６ａを接着剤板５に対してマグネットテープまたは両面接着テープ等にて固定する（図３参照）。
【００２２】
棚装置１の下端部であって、前記底板４における上側の前後水平枠板４ａ，４ｂには、上向きに着脱可能な底カバー板１７が載置してあり、前後水平枠板４ａ，４に、横長のコード受け樋１９の下向きコ字状の前後係止片１９ａ，１９ｂを係止している（図４参照）。従って、底カバー板１７を外すと、コード受け樋１９の上面が開放され、また、このコード受け樋１９も着脱可能となる。
【００２３】
上記のように構成された棚装置１において、図１〜図３に示すように、電気製品２１、例えば、会社等において多数の作業者が使用する多数の携帯電話２１ａや携帯情報端末２１ｂも携帯用プリンタ２１ｃを、夜間等の不使用時に一時的に保管しながら一度に充電するため、主棚板１０の載置板部１０ａの上面の奥側（後半寄り部位）と補助棚板１２における載置部１２ａとの間の物品収納空間１５内には、常備の電気部品としてのＡＣアダプタ２２（１００Ｖ〜２００Ｖ等の商用交流電源から所定の低い電圧（４．５Ｖ〜４．２Ｖ）　の直流電気に変換するもの）や、前記商用交流電源からのコード２４に接続した多連口の差込みコンセント２３を複数配置し、ＡＣアダプタ２２の一方のコード（入力コード）２５ａに接続のソケット２６を前記差込みコンセント２３に接続しておき、ＡＣアダプタ２２の他方の出力コード２５ｂを前記前板１３の下端の隙間１４から前方に延ばし、出力コード２５ｂの先端にコネクタ２７を接続している。なお、前記差込みコンセント２３の口に差し込むため端子がＡＣアダプタ２２の片面に直接突出しているものもある。
【００２４】
前記各主棚板１０上収納空間１５内に載置した複数のＡＣアダプタ２２に対する差込みコンセント２３は複数あっても良く、各差込みコンセント２３からのコード２４は、前記通線カバー体１６内を下方に通し（図３参照）、底カバー板１７の背面側に切欠き形成した凹部２８と背板４との隙間からコード受け樋１９内に配線し、各コード２４の先端のソケット３０を、コード受け樋１９に配置した多連口差込みコンセント２９に接続する。なお、この差込みコンセント２９の電源側コード３１は、側板２の低部に設けた孔３２等から外に出し、所定のコンセントに接続する。各コード２４の余長部分も、コード受け樋１９に収納することができる。
【００２５】
そして、電器製品、例えば、背の低い携帯情報端末２１ｂや携帯プリンタ２１ｃを前記補助棚板１２上に載置し、背の高い携帯電話２１ａやこの携帯電話に充電するための卓上ホルダ、を主棚板１０における載置板部１０ａの上面の前側に載置し、対応するコネクタ２７を前記各電気製品２１に接続すれば、保管しながら、充電作業が実行できる。
【００２６】
本発明の棚装置１によれば、複数のＡＣアダプタ２２や差込みコンセント２３及びその配線コード２４、２５ａ等の常時備えつけの電気部品を、主棚板１０の奥側にて補助棚板１２との間の収納空間１５に配置すると、このような嵩張り、且つ乱雑に配置された前記の電気部品を、一時的に保管する電気製品２１と別の区切られた収納空間１５に収納できるから、一時的に保管する電気製品２１の整理整頓を実行し易くなる。
【００２７】
そして、補助棚板１２における前板１３の下端との隙間１４から前方に引き出したコード２５ｂとコネクタ２７のみ主棚板１０上の前に引き出せるから、乱雑に配置された電気部品を棚装置１の前方から見えなくできて、外観がすっきりする。
【図面の簡単な説明】
【図１】棚装置の正面図である。
【図２】棚装置の一部切欠き側断面図である。
【図３】主棚板及び補助棚板等の要部を示す一部切欠き斜視図である。
【図４】棚装置の下部の側断面図である。
【符号の説明】
１　　　棚装置
２、２　　　側板
１０　　主棚板
１０ａ　　載置板部
１２　　補助棚板
１２ａ　　載置部
１３　　前板
１４　　隙間
１５　　収納空間
１６　　通線カバー体
１７　　底カバー板
１９　　コード受け樋
２１　　電気製品
２２　　ＡＣアダプタ
２３　　コンセント
【図１】
2004135904.tif 000003
【図２】
2004135904.tif 000004
【図３】
2004135904.tif 000005
【図４】
2004135904.tif 000006